(57)【特許請求の範囲】
【請求項１】
それぞれ異なる目標出力に対応し、人体の接触を検知するタッチセンサを有する複数の目標出力設定部と、
前記タッチセンサに入力された信号に基づき目標出力を設定する制御部と、を備え、
前記複数の目標出力設定部は、対応する目標出力が小さい側から大きい側に順に並べて配列され、
前記制御部は、複数の隣接する目標出力設定部を順になぞるスライド操作を検知したときは、目標出力を前記スライド操作でなぞられている目標出力設定部に対応する目標出力に順に切り替え、
前記目標出力設定部の何れか１つに触れるタッチ操作を検知したときは、目標出力を前記タッチ操作がされた目標出力設定部に対応する目標出力に切り替え、
目標出力を微調整する目標出力微調整部をさらに備え、
前記複数の目標出力設定部のうち少なくともひとつの目標出力設定部は、該目標出力設定部の範囲内で細分化された複数の細分化目標出力を有し、
前記制御部は、前記目標出力微調整部に入力された信号に基づき、目標出力を前記細分化目標出力に準じて微調整し、
前記目標出力設定部のうち最も小さい目標出力に対応する目標出力設定部が前記細分化目標出力を有する場合において、スライド操作またはタッチ操作により最も小さい目標出力に対応する目標設定領域が選択されたとき、前記制御部は前記細分化目標出力の範囲内で最も小さい目標出力に切り替えることを特徴とする電子機器。
【請求項２】
前記目標出力設定部がスライド操作またはタッチ操作を検知した場合において、スライド操作またはタッチ操作により選択された目標出力設定部が前記細分化目標出力を有するとき、前記制御部は前記細分化目標出力の範囲内の何れか特定の１つの目標出力に切り替えることを特徴とする請求項１に記載の電子機器。
【請求項３】
前記目標出力設定部のうち最も大きい目標出力に対応する目標出力設定部が前記細分化目標出力を有する場合において、スライド操作またはタッチ操作により最も大きい目標出力に対応する目標設定領域が選択されたとき、前記制御部は前記細分化目標出力の範囲内で最も大きい目標出力に切り替えることを特徴とする請求項１または２に記載の電子機器。
【請求項４】
前記目標出力設定部のうち最も小さい目標出力または最も大きい目標出力に対応する目標出力設定部は、１つの目標出力のみを有することを特徴とする請求項１〜３のいずれか１項に記載の電子機器。
【請求項５】
空気を送り出す送風装置をさらに備え、前記制御部は前記目標出力に応じて前記送風装置の出力を制御することを特徴とする請求項１〜４のいずれか１項に記載の送風装置。
【発明の詳細な説明】
【技術分野】
【０００１】
本発明は目標出力設定手段を備える電子機器および送風装置に関する。
【背景技術】
【０００２】
特許文献１には従来の送風装置が開示されている。この送風装置（扇風機）は風量を切換える風量スイッチが一つ設けられている。電源スイッチを入れると羽根が回転を始めると共に、弱の風量で運転が行われる。この状態で風量スイッチを押すと中の風量で運転が行われる。さらに風量スイッチを押すと強の風量で運転が行われる。もう一度風量スイッチを押すと再び弱の風量で運転が行われる。このようにして、風量スイッチを押す度に風量が３段階で順送りで切換わる。
【０００３】
風量スイッチにより選択された風量は、風量表示部に表示されるようになっているため、風量スイッチにより選択された風量を確認することができる。
【先行技術文献】
【特許文献】
【０００４】
【特許文献１】特開２００５−９８２０４号公報
【発明の概要】
【発明が解決しようとする課題】
【０００５】
しかしながら、上記従来の送風装置によると、好みの風量に設定するためには何度も風量スイッチを押さなくてはならず、また風量を３段階にしか設定できないため好みの風量に設定できない場合があるという問題がある。
【０００６】
また、設定可能風量毎に風量スイッチを設けたとしても、風量スイッチを設置できる数に制約があり、風量を細かく調整することができないという問題がある。
【０００７】
本発明は、直観的に、かつ、すばやく目標出力を調整することができる電子機器および送風装置を提供することを目的とする。
【課題を解決するための手段】
【０００８】
この発明に係る電子機器は、それぞれ異なる目標出力に対応し、人体の接触を検知するタッチセンサを有する複数の目標出力設定部と、上記タッチセンサに入力された信号に基づき目標出力を設定する制御部とを備える。上記複数の目標出力設定部は、対応する目標出力が小さい側から大きい側に順に並べて配列され、上記制御部は、複数の隣接する目標出力設定部を順になぞるスライド操作を検知したときは、目標出力を上記スライド操作でなぞられている目標出力設定部に対応する目標出力に順に切り替え、上記目標出力設定部の何れか１つに触れるタッチ操作を検知したときは、目標出力を上記タッチ操作がされた目標出力設定部に対応する目標出力に切り替える。さらに目標出力を微調整する目標出力微調整部を備え、上記複数の目標出力設定部のうち少なくともひとつの目標出力設定部は、上記目標出力設定部の範囲内で細分化された複数の細分化目標出力を有し、上記制御部は、上記目標出力微調整部に入力された信号に基づき、目標出力を上記細分化目標出力に準じて微調整し、上記目標出力設定部のうち最も小さい目標出力に対応する目標出力設定部が上記細分化目標出力を有する場合において、スライド操作またはタッチ操作により最も小さい目標出力に対応する目標設定領域が選択されたとき、上記制御部は上記細分化目標出力の範囲内で最も小さい目標出力に切り替えることを特徴とする。
【００１０】
また、上記目標出力設定部がスライド操作またはタッチ操作を検知した場合において、スライド操作またはタッチ操作により選択された目標出力設定部が上記細分化目標出力を有するとき、上記制御部は上記細分化目標出力の範囲内の何れか特定の１つの目標出力に切り替えることを特徴とする。
【００１２】
また、上記目標出力設定部のうち最も大きい目標出力に対応する目標出力設定部が上記細分化目標出力を有する場合において、スライド操作またはタッチ操作により最も大きい目標出力に対応する目標設定領域が選択されたとき、上記制御部は上記細分化目標出力の範囲内で最も大きい目標出力に切り替えることを特徴とする。
【００１３】
また、上記目標出力設定部のうち最も小さい目標出力または最も大きい目標出力に対応する目標出力設定部は、１つの目標出力のみを有することを特徴とする。
【００１４】
また、空気を送り出す送風装置をさらに備え、上記制御部は上記目標出力に応じて上記送風装置の出力を制御することを特徴とする。
【発明の効果】
【００１５】
風量切換ボタン（目標出力設定部）をスライド操作することで、直観的に、かつ、すばやく風量を調整することができる。また、スライド操作に慣れていないユーザであっても従来のスイッチと同様に直接目的の目標出力設定部をタッチ操作することで風量を調整することができる。
【図面の簡単な説明】
【００１６】
【図１】本発明の第１実施形態の送風装置を示す斜視図
【図２】本発明の第１実施形態の送風装置を示す斜視図
【図３】本発明の第１実施形態の送風装置を示す側面図
【図４】本発明の第１実施形態の送風装置の操作パネルを示す正面図
【図５】本発明の第１実施形態の送風装置の操作パネルの風量切換ボタン周辺を示す拡大図
【図６】本発明の第１実施形態の送風装置の操作パネルの風量切換ボタン周辺を示す拡大図
【図７】本発明の第１実施形態の送風装置の操作パネルの風量切換ボタン周辺を示す拡大図
【図８】本発明の第１実施形態の送風装置の操作パネルの風量切換ボタン周辺を示す拡大図
【発明を実施するための形態】
【００１７】
以下に本発明の実施形態について図面を参照して説明する。図１、図２及び図３はそれぞれ第１実施形態の送風装置１の前方から見た斜視図、後方から見た斜視図、外装カバーを外した側面図を示している。図１〜図３の白抜き矢印は送風装置による空気の流通経路及び流通方向を示している。
【００１８】
送風装置１は設置部３と回動部２とを備える。設置部３は平面視円形により形成されて設置面に設置される。設置部３の後部には電源コード８とその先端に設けた電源プラグ（不図示）とを備える。電源コード８を介して送風装置１は商用交流電源から電力の供給を受ける。
【００１９】
回動部２は設置部３上に立設して回動可能に配される。回動部２は底面が円形で形成され、上下方向略中央部から上端にかけては略直方体形状で形成される。回動部２の背面には回動部２に凹設した把持部１０が設けられる。ユーザは把持部１０を把持して送風装置１を持ち運ぶ。また、回動部２は下部に首振りモータ（不図示）を有し、首振りモータを駆動すると、回動軸２ａを中心に左右に首振動作する。
【００２０】
回動部２は下部側面に開口する吸込口４と上部正面に開口する吹出口５と送風通路２０とを備える。回動部２内に配される送風通路２０は上下方向に延びて吸込口４と吹出口５とを連通させる。吸込口４には塵埃を捕集する不図示の集塵フィルタと、複数の通気孔を開口した通気板９とが配される。
【００２１】
送風通路２０の空気流通方向の下流部は上方に向かって延びるとともに前方に向かって湾曲する。送風通路２０の下流部は５枚の仕切り板２１により６本の通風路２２に区分される。
【００２２】
通風路２２の入口部２３は後述するイオン発生装置３０の配置箇所のすぐ下流に位置し、出口部２４は吹出口５のすぐ上流に位置する。６本の通風路２２は入口部２３において送風装置１の前後方向に一列に並び、出口部２４において上下方向に一列に並ぶ。
【００２３】
通風路２２の出口部２４と吹出口５との間には６枚の可動ルーバー２５が設けられる。可動ルーバー２５は各々上流端が５枚の仕切り板２１と出口部２４の最下方の壁板２６とに連続して取り付けられる。可動ルーバー２５は下流側がルーバーモータ（不図示）に連結される。ルーバーモータを駆動すると、６枚の可動ルーバー２５の下流部が揃って上下方向に変位する。
【００２４】
送風通路２０の下部にはシロッコファンからなる送風ファン７が配される。送風ファン７の吸気口（不図示）は吸込口４に隣接し、送風ファン７の排気口７ａは上方を指向する。送風ファン７は吸込口４から吸い込んだ空気を吹出口５に向かって流通させる。送風ファン７はＤＣファンモータ（不図示）の出力軸に固定されており、ＤＣファンモータを回転させることで送風ファン７は回転させられる。
【００２５】
送風ファン７の上方であって空気流通方向の下流側にはイオン発生装置３０が配置される。イオン発生装置３０により発生するイオンは送風通路２０を流通する気流に含ませられる。また、回動部２の内部には制御部（不図示）が設けられる。
【００２６】
イオン発生装置３０は送風ファン７に対して空気流通方向の下流側に配置される。イオン発生装置３０は正イオン発生部、負イオン発生部（いずれも不図示）を備える。正イオン発生部は正放電電極（不図示）を備え、負イオン発生部は負放電電極（不図示）を備える。二対の正放電電極及び負放電電極は各々針状に形成されて所定の間隔で並べて配置され、送風通路２０に臨んで配される。
【００２７】
正放電電極、負放電電極に高圧電気発生回路で生成された高電圧が供給されて放電を発生させてイオンを放出する。ここで、イオン発生装置３０の正放電電極、負放電電極には交流波形またはインパルス波形からなる電圧が印加される。正放電電極には正電圧が印加され、コロナ放電によって発生する水素イオンが空気中の水分と結合して主としてＨ＋（Ｈ２Ｏ）ｍからなる正イオンを発生する。
【００２８】
負放電電極には負電圧が印加され、コロナ放電によって発生する酸素イオンが空気中の水分と結合して主としてＯ２−（Ｈ２Ｏ）ｎからなる負イオンを発生する。ここで、ｍ、ｎは任意の自然数である。Ｈ＋（Ｈ２Ｏ）ｍ及びＯ２−（Ｈ２Ｏ）ｎは空気中の浮遊菌や臭い成分の表面で凝集してこれらを取り囲む。
【００２９】
そして、式（１）〜（３）に示すように、衝突により活性種である［・ＯＨ］（水酸基ラジカル）やＨ２Ｏ２（過酸化水素）を微生物等の表面上で凝集生成して浮遊菌や臭い成分を破壊する。ここで、ｍ’、ｎ’は任意の自然数である。したがって、イオン発生装置３０は送風通路２０の内部を流通する空気に対して正放電電極及び負放電電極で放電により発生させた正イオン及び負イオンを含ませるように放出することにより、例えば室内の殺菌や脱臭を行うことができる。
【００３０】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
回動部２の上面には操作パネル６が配される。図４は操作パネル６を示す正面図である。タッチパネルにより形成される操作パネル６には複数の操作ボタンが設けられている。操作ボタンは運転ボタン６１、風量切替ボタン６２，６３（目標出力設定手段）、イオン発生モードボタン６４、フィルタ交換ランプ６５、リセットボタン６６及び首振ボタン６７からなる。各ボタンに対応する位置に人体の接触を検知するタッチセンサ（不図示）が埋め込まれており、タッチ操作によりボタンを操作することができる。
【００３１】
回動軸２ａ上に配される運転ボタン６１は送風装置１の電源のＯＮ／ＯＦＦを切替える。イオン発生モードボタン６４はイオン発生装置３０のＯＮ／ＯＦＦを切替える。ＬＥＤ光源からなるフィルタ交換ランプ６５は集塵フィルタ（不図示）の交換時期が来ると点灯する。リセットボタン６６はフィルタ交換時にタッチ操作して点灯したフィルタ交換ランプ６５を消灯する。首振ボタン６７は回動部２の首振動作時にタッチ操作されると首振動作を停止し、首振動作の停止時にタッチ操作されると首振動作を開始する。
【００３２】
風量切替ボタン６２，６３は送風装置１の風量を調整する。風量切換ボタン６２，６３を操作することで、ＤＣファンモータの出力を３２段階に切り替えることができる。以下の説明において、ＤＣファンモータの３２段階の出力を弱い方から順に風量１，風量２，風量３，・・・，風量３１，風量３２とする。
【００３３】
図５〜図８は、操作パネル６の風量切替ボタン６２，６３の周辺を拡大した図である。風量切換ボタン６２は運転ボタン６１の周囲を囲むように円弧状に配置されている。風量切換ボタン６２は、それぞれ異なる８つのＤＣファンモータの出力領域に対応する目標出力設定部６２ａ，６２ｂ，６２ｃ，６２ｄ，６２ｅ，６２ｆ，６２ｇ，６２ｈを有する。目標出力設定部６２ａ，６２ｂ，６２ｃ，６２ｄ，６２ｅ，６２ｆ，６２ｇ，６２ｈは、それぞれ風量１〜４，風量５〜８，風量９〜１２，風量１３〜１６，風量１７〜２０，風量２１〜２４，風量２５〜２８，風量２９〜３２に対応する。
【００３４】
各目標出力設定部は操作パネル内部に埋め込まれているランプにより、それぞれ発光させることができる。風量１〜４のいずれかの風量で運転されているときは、図５に示すように目標出力設定部６２ａが発光する。風量５〜８のいずれかの風量で運転されているときは、図６に示すように目標出力設定部６２ａ，６２ｂの２箇所が発光する。風量９以上の場合も同様に、対応する目標出力設定部と、該目標出力設定部よりも小さな風量に対応する全ての目標出力設定部が発光する。このように目標出力設定部が発光することで、ユーザは現在の設定風量を視覚により直感的に認識することができる。なお、図７には風量２９〜３２のときの操作パネルの発光状態を、図８には停止時の操作パネルの発光状態を示す。停止時は、全ての目標出力設定部が発光しない。
【００３５】
風量切換ボタン６２を操作することにより、８段階の風量調整を行うことができる。風量切替ボタン６２を用いた風量の切替方法は２通りの方法がある。一つ目の方法は、目標出力設定部６２ａ〜６２ｈのいずれか一つの領域を直接タッチ操作する方法である。目標出力設定部６２ａ〜６２ｈのいずれか一つが直接タッチ操作されることで、タッチ操作された目標出力設定部に対応する４段階の風量の中で最も小さい風量に切り替わる。すなわち、目標出力設定部６２ａ，６２ｂ，６２ｃ，６２ｄ，６２ｅ，６２ｆ，６２ｇ，６２ｈをタッチ操作すると、それぞれ風量１，風量５，風量９，風量１３，風量１７，風量２１，風量２５，風量２９に切り替わる。
【００３６】
二つ目の方法は、操作前に設定されている目標出力設定部に触れ、操作パネルに触れたまま目標出力設定部が配置されている円弧（方向）に沿って指をスライドさせるスライド操作をする方法である。スライド操作が行われると、スライド操作中に触れられている目標出力設定部に対応する風量に順次切替られ、最後に指が離された位置に対応する目標出力設定部に対応する風量で送風装置１は運転が継続される。例えば、操作前に目標出力設定部６２ｃに対応する風量（風量９〜１２のいずれか）で運転されているとき、目標出力設定部６２ｃに触れ、そのまま指が操作パネルから離されずに目標出力設定部６２ｄ，６２ｅ，６２ｆと順にスライド操作されると、風量は風量１３，風量１７，風量２１の順で切り替わる。目標出力設定部６２ｆで指が離されると、目標出力設定部６２ｆに対応した風量２１で送風装置１は運転が継続される。
【００３７】
スライド操作が行われる際、スライド操作をする直前の風量に対応する目標出力設定部以外の目標出力設定部に触れ、その位置からスライド操作されたときは、一旦最初に触れられた目標設定領域に対応する風量に切り替えられた後に、通常のスライド操作と同様にスライド操作に応じた風量に順次切り替えられる。
【００３８】
本実施形態では、停止状態から運転開始するには運転ボタン６１をタッチ操作することが必要であり、運転ボタン６１をタッチ操作すると風量１で運転開始されるが、停止状態から風量切換ボタン６２をタッチ操作またはスライド操作することで運転開始するようにしてもよい。
【００３９】
風量切換ボタン６３は、微調整ボタン６３ａ，６３ｂ（目標出力微調整部）を有する。運転中に微調整ボタン６３ａ，６３ｂをタッチ操作することで、風量切換ボタン６２による８段階の風量調整よりも細かな風量微調整（３２段階の風量調整）が可能となる。微調整ボタン６３ａがタッチ操作されると、風量が１段階（３２段階中の１段階）大きい風量に切り替わる。微調整ボタン６３ｂがタッチ操作されると、風量が１段階（３２段階中の１段階）小さい風量に切り替わる。
【００４０】
風量切換ボタン６３がタッチ操作される前の風量が各目標出力設定部中の４段階の中で最も大きい風量（例えば、目標設定領域６２ｂにおける風量８）であるとき、微調整ボタン６３ａがタッチ操作されると風量は３２段階中の１段階大きくなり、隣接する目標設定領域の中で最も小さい風量に切り替わる（例えば、タッチ操作前が風量８のとき、目標設定領域は６２ｃで風量は９となる）。同様に、風量切換ボタン６３がタッチ操作される前の風量が各目標出力設定部中の４段階の中で最も小さい風量（例えば、目標設定領域６２ｂにおける風量５）であるとき、微調整ボタン６３ｂがタッチ操作されると風量は３２段階中の１段階小さくなり、隣接する目標設定領域の中で最も大きい風量に切り替わる（例えば、タッチ操作前が風量５のとき、目標設定領域は６２ａにおける風量４となる）。
【００４１】
各目標出力設定部６２ａ〜６２ｈは、それぞれの各目標出力設定部の中でさらに４段階の風量設定（細分化目標出力）を有するが、各目標出力設定部６２ａ〜６２ｈが、２段階や５段階など複数の風量設定を有していれば、４段階以外の風量設定を有していてもよい。また、各目標出力設定部６２ａ〜６２ｈは、それぞれが異なる段階の風量設定を有していてもよい。また、各目標出力設定部６２ａ〜６２ｈは、少なくとも一つの目標出力設定部が複数の風量設定を有していてもよい。
【００４２】
上述のように、本実施形態では、風量切換ボタン６２をタッチ操作またはスライド操作することにより、８段階の風量調整を行うことができるが、そのときに設定される風量は、各目標出力設定領が有する複数の風量設定の中で最小の風量である。なお、風量切換ボタン６２をタッチ操作またはスライド操作することにより設定される風量は、各目標出力設定領が有する複数の風量設定の中であればどの風量であってもよい。
【００４３】
また、風量切換ボタン６２をタッチ操作またはスライド操作することにより設定される風量は、目標出力設定部６２ａ〜６２ｈの中で最も小さい風量に対応する目標出力設定部６２aにおいては該目標出力設定部の中で最小の風量である風量１である。このようにすることで、ユーザが風量切替ボタン６２をスライド操作したときに、目標出力設定部６２aまで指をスライドすることで、確実に送風装置の最小風量に設定することができる。
【００４４】
また、風量切換ボタン６２をタッチ操作またはスライド操作することにより設定される風量を、目標出力設定部６２ａ〜６２ｈの中で最も大きい風量に対応する目標出力設定部６２ｈでは該目標出力設定部の中で最大の風量である風量３２にしてもよい。このようにすることで、ユーザが風量切替ボタン６２をスライド操作したときに、目標出力設定部６２ｈまで指をスライドすることで、確実に送風装置の最大風量に設定することができる。
【００４５】
風量切換ボタン６２（目標出力設定部）をスライド操作することで、直観的に、かつ、すばやく風量を調整することができる。また、スライド操作に慣れていないユーザであっても従来のスイッチと同様に直接目的の目標出力設定部をタッチ操作することで風量を調整することができる。
【００４６】
風量切替ボタン６３（微調整ボタン）を備えていることにより、風量を容易に微調整することができる。ユーザが就寝時などに送風装置を使用する場合、日中活動をしているときに比べて風をより敏感に感じ取りやすくなることがあるが、そのようなときに微調整ボタン６３ａ，６３ｂを操作することで風量を微調整して容易に好みの風量に変更することができる。スライド操作のみで微調整しようとすると、指を離す位置によってなかなか好みの風量に調整し難い場合があるが、風量切替ボタン６２（目標出力設定部）をスライド操作して大まかに風量を決めてから、風量切替ボタン６３（微調整ボタン）をタッチ操作することで１段階毎に風量を微調整することで、すばやく、かつ、正確に好みの風量に調整することができる。
【００４７】
上記の実施形態は、風量切替ボタン６２，６３により風量の調整を行う送風装置であるが、本発明は、携帯型音楽プレーヤーや、テレビジョン受像機のリモートコントローラなどの音声再生が可能な装置の音量調整のための目標出力設定操作にも用いることができる。その他、出力が調整可能な電子機器の目標出力設定操作に用いることができる。
【００４８】
＜第２実施形態＞
説明の便宜上、前述の第１実施形態と同様の部分については説明を省略し、異なる部分についてのみ説明する。本実施形態では、目標出力設定部６２ａ〜６２ｈの中で最も大きい風量に対応する目標出力設定部６２ｈが唯一の風量設定のみを有する。
【００４９】
風量切換ボタン６２，６３を操作することで、ＤＣファンモータの出力を３２段階に切り替えることができる。以下の説明において、ＤＣファンモータの３２段階の出力を弱い方から順に風量１，風量２，風量３，・・・，風量３１，風量３２と表現する。
【００５０】
風量切換ボタン６２は、それぞれ異なる８つのＤＣファンモータの出力領域に対応する目標出力設定部６２ａ，６２ｂ，６２ｃ，６２ｄ，６２ｅ，６２ｆ，６２ｇ，６２ｈを有する。目標出力設定部６２ａ，６２ｂ，６２ｃ，６２ｄ，６２ｅ，６２ｆ，６２ｇ，６２ｈは、それぞれ風量１〜４，風量５〜８，風量９〜１２，風量１３〜１６，風量１７〜２１，風量２２〜２６，風量２７〜３１，風量３２に対応する。本実施形態では、目標出力設定部６２ｈが１つ（１段階）の風量設定のみに対応するため、目標出力設定部６２ｅ，６２ｆ，６２ｇがそれぞれ５段階の風量設定に対応することで、全体としては３２段階の風量設定に対応している。
【００５１】
最大の風量に対応する目標出力設定部６２ｈが唯一の風量設定のみを有することで、ユーザが風量切替ボタン６２をスライド操作したときに、目標出力設定部６２ｈまで指をスライドすることで、確実に送風装置の最大風量に設定することができる。また、全ての目標出力設定部６２が発光しているときは必然的に最大風量となるため、視覚的にもユーザは最大風量であることを容易に認識することができる。
【００５２】
＜第３実施形態＞
説明の便宜上、前述の第１実施形態と同様の部分については説明を省略し、異なる部分についてのみ説明する。本実施形態では、目標出力設定部６２ａ〜６２ｈの中で最も小さい風量に対応する目標出力設定部６２ａが唯ひとつの風量設定のみを有する。
【００５３】
風量切換ボタン６２，６３を操作することで、ＤＣファンモータの出力を３２段階に切り替えることができる。以下の説明において、ＤＣファンモータの３２段階の出力を弱い方から順に風量１，風量２，風量３，・・・，風量３１，風量３２と表現する。
【００５４】
風量切換ボタン６２は、それぞれ異なる８つのＤＣファンモータの出力領域に対応する目標出力設定部６２ａ，６２ｂ，６２ｃ，６２ｄ，６２ｅ，６２ｆ，６２ｇ，６２ｈを有する。目標出力設定部６２ａ，６２ｂ，６２ｃ，６２ｄ，６２ｅ，６２ｆ，６２ｇ，６２ｈは、それぞれ風量１，風量２〜５，風量６〜９，風量１０〜１３，風量１４〜１７，風量１８〜２２，風量２３〜２７，風量２８〜３２に対応する。本実施形態では、目標出力設定部６２aが１つ（１段階）の風量設定のみに対応するため、目標出力設定部６２ｆ，６２ｇ，６２ｈがそれぞれ５段階の風量設定に対応することで、全体としては３２段階の風量設定に対応している。
【００５５】
最小の風量に対応する目標出力設定部６２ａが唯一の風量設定のみを有することで、ユーザが風量切替ボタン６２をスライド操作したときに、目標出力設定部６２ａまで指をスライドすることで、確実に送風装置の最小風量に設定することができる。また、目標出力設定部６２ａのみが発光しているときは必然的に最小風量となるため、視覚的にもユーザは最小風量であることを容易に認識することができる。
【符号の説明】
【００５６】
１      送風装置
２      回動部
２ａ    回動軸
３      設置部
４      吸入口
５      吹出口
６      操作パネル
６２    風量切替ボタン
６２ａ〜ｈ  目標出力設定部
６３    風量切替ボタン
６３ａ，ｂ  目標出力微調整部
６７    首振ボタン
【図１】
0006004518.tif 000002
【図２】
0006004518.tif 000003
【図３】
0006004518.tif 000004
【図４】
0006004518.tif 000005
【図５】
0006004518.tif 000006
【図６】
0006004518.tif 000007
【図７】
0006004518.tif 000008
【図８】
0006004518.tif 000009